【事件の表示】
　特許第３１７７７３４号「パン、ケーキ等の焼成用容器」の請求項１ないし４に係る特許に対する特許異議の申立てについて、次のとおり決定する。
【結　論】
　訂正を認める。
　特許第３１７７７３４号の請求項１ないし３に係る特許を取り消す。
【理　由】
 ＜1＞手続の経緯　
　特許第3177734号の請求項1乃至4に係る発明についての出願は、平成9年3月31日に出願され、平成13年4月13日に設定登録（特許公報発行日；平成13年6月18日）され、平成13年12月12日に特許異議申立人　株式会社菓包より特許異議の申立てがなされ、取消理由通知がなされ、その指定期間内である平成14年4月26日に訂正請求がなされたものである。　　　
　
　
＜2＞訂正の適否　
＜2-1＞訂正事項　
　特許権者は、訂正明細書のとおり訂正することを求めており、その内容は、以下の＜訂正Ａ〜Ｃ＞のとおりである。　
＜訂正Ａ＞　
特許請求の範囲の　
「【特許請求の範囲】
【請求項１】  少なくとも油分が染みこんで変色する紙と略透明なフィルムとが積層されたシート、を用いて前記フィルムが外側となる様に形成された焼成用容器であって、前記シートには前記焼成用容器の外側から見える模様を施したことを特徴とするパン・ケーキ等の焼成用容器。
【請求項２】  前記模様は前記紙に対する保護色で施されたことを特徴とする請求項１記載のパン、ケーキ等の焼成用容器。
【請求項３】  前記シートは、前記模様を前記紙に印刷し、この印刷された紙面を前記フィルムとの積層面となる様にして積層したことを特徴とする請求項１又は２記載のパン、ケーキ等の焼成用容器。
【請求項４】  前記フィルムがポリエチレンフィルムであることを特徴とする請求項１〜３に記載のパン、ケーキ等の焼成用容器。」　
を、　
「【特許請求の範囲】
【請求項1】少なくとも油分が染みこんで変色する紙と略透明なフィルムとが積層されたシート、を用いて前記フィルムが外側となる様に形成された焼成用容器であって、前記シートは、乾いたときには油分の浸透しない印刷塗料を用いて前記紙に印刷した前記焼成用容器の外側から見える模様を施し、この印刷された側の紙面を前記フィルムとの積層面となる様にして積層したことを特徴とするパン・ケーキ等の焼成用容器。
【請求項２】前記模様は前記紙に対する保護色で施されたことを特徴とする請求項１記載のパン、ケーキ等の焼成用容器。
【請求項３】前記フィルムがポリエチレンフィルムであることを特徴とする請求項１又は２記載のパン、ケーキ等の焼成用容器。」　
と、訂正する。　
　
＜訂正Ｂ＞　
特許明細書の段落【0008】及び【0010】である　
「 【０００８】
　【課題を解決するための手段】
　上記課題に応えるため、本発明では、従来技術で述べた焼成用容器の外側に略透明なフィルムを用い、内側には油分が染み込んで変色する紙を用いる様にし、更に、焼成用容器には外側から見える様に模様を施した。この様にすると、焼成後には焼成用容器がパンごと小麦色に見せる事ができながら、小麦色を背景にして模様を表す事ができるのである。また、家庭クッキングなどでパンを焼成する時に、焼成前は白地に模様が描かれた様に見え、それが焼成後には小麦色に模様が描かれた様に変わるおもしろさがある。
　「焼成用容器の外側から見える模様」の施し方は様々であり、例えば積層させるフィルムに印刷する方法がある。或いは、模様を描かせたフィルムを別途準備して、これを紙とフィルムとの間に積層させる方法がある。また、油分の染み込まない材質に色を付けて短く切ったテープ、或いは糸、更には紙吹雪状の材料を紙とフィルムとの間に挟み込む方法がある。このほか、色付きフィルムに模様を切り抜き、これを、紙とフィルムとの間に積層させる方法がある。模様は、幾何学模様、文字、キャラクター他、様々であって良い。」　及び
「【００１０】
　なお、模様の施し方は紙に印刷しておく事もでき、この印刷された側の紙面を前記フィルムとの積層面となる様にして積層しておけばよく、この様にすると製造が容易になる。この時、印刷した印刷塗料は、この印刷塗料が乾いたときには油分の浸透しないものを用いる様にすればよく、紙に油分が染み込んで変色しても、模様は変色しない。」
を、　
「【０００８】　
【課題を解決するための手段】　
　上記課題に応えるため、本発明では、従来技術で述べた焼成用容器の外側に略透明なフィルムを用い、内側には油分が染み込んで変色する紙を用いる様にし、更に、焼成用容器には外側から見える様に模様を施した。
　なお、模様の施し方は紙に印刷しておく事もでき、この印刷された側の紙面を前記フィルムとの積層面となる様にして積層しておけばよく、この様にすると製造が容易になる。この時、印刷した印刷塗料は、この印刷塗料が乾いたときには油分の浸透しないものを用いる様にすればよく、紙に油分が染み込んで変色しても、模様は変色しない。
　この様にすると、焼成後には焼成用容器がパンごと小麦色に見せる事ができながら、小麦色を背景にして模様を表す事ができるのである。また、家庭クッキングなどでパンを焼成する時に、焼成前は白地に模様が描かれた様に見え、それが焼成後には小麦色に模様が描かれた様に変わるおもしろさがある。
　模様は、幾何学模様、文字、キャラクター他、様々であって良い。」　
と訂正し、【００１０】の記載は削除する。　
　
＜訂正Ｃ＞　
特許明細書の段落【0018】〜【0021】である　
「【００１８】　
【発明の効果】　
　以上、本願請求項１記載の発明によれば、焼成用容器が小麦色に、或いは焦げ茶色になり、中身のパンに近い色彩となって見た目にパンの美味しさを強調でき、しかも、このパンの色を背景にして模様を施す事ができるので、意匠的効果を高める事ができる。
【００１９】　
　請求項２記載の発明によれば、請求項１の発明に係る効果の他、焼成前は保護色により見えなかった模様を、焼成により浮かび上がらせる事ができ、焼成前後の変わり目がおもしろい。
【００２０】　
　請求項３記載の発明によれば、請求項１又は２の発明に係る効果の他、紙に模様を印刷するだけでよいので、焼成用容器の製造が容易になる。また、印刷によるので複雑な模様など自由に模様を描く事ができ、また請求項２に記述した保護色とその他の色彩となど多色の模様を施す事なども容易になるので、施す模様の自由度が高まる。
【００２１】　
　請求項４記載の発明によれば、請求項１〜３のいずれか１の発明に係る効果の他、焼成用容器に保形性が得られると共に、高い透明性により模様の浮き出しを鮮明にする事ができ、高い意匠性が得られる。」　
を、　
「【００１８】　
【発明の効果】　
　以上、本願請求項１記載の発明によれば、焼成用容器が小麦色に、或いは焦げ茶色になり、中身のパンに近い色彩となって見た目にパンの美味しさを強調でき、しかも、このパンの色を背景にして模様を施す事ができるので、意匠的効果を高める事ができる。
　また紙に模様を印刷するだけでよいので、焼成用容器の製造が容易になる。また、印刷によるので複雑な模様など自由に模様を描く事ができ、請求項２に記述した保護色とその他の色彩となど多色の模様を施す事なども容易になるので、施す模様の自由度が高まる。
【００１９】　
　請求項２記載の発明によれば、請求項１の発明に係る効果の他、焼成前は保護色により見えなかった模様を、焼成により浮かび上がらせる事ができ、焼成前後の変わり目がおもしろい。
【００２０】
【００２１】　
　請求項３記載の発明によれば、請求項１又は２の発明に係る効果の他、焼成用容器に保形性が得られると共に、高い透明性により模様の浮き出しを鮮明にする事ができ、高い意匠性が得られる。」　
と訂正し、【００２０】の記載は削除する。　
　
＜2-2＞訂正の目的の適否、新規事項の有無及び拡張・変更の存否　
　
　上記＜訂正Ａ＞は、特許明細書の段落【0008】の記載及び特許請求の範囲の請求項3に基づいて、特許請求の範囲の請求項１における「前記シートには前記焼成用容器の」を「前記シートは、乾いたときには油分の浸透しない印刷塗料を用いて前記紙に印刷した前記焼成用容器の」と訂正し、「施した」を「施し、この印刷された側の紙面を前記フィルムとの積層面となる様にして積層した」と訂正するものであり、特許請求の範囲の減縮を目的とした訂正に該当し、新規事項の追加に該当せず、実質上特許請求の範囲を拡張し、又は変更するものではない。　
　上記＜訂正Ｂ＞は、訂正した特許請求の範囲の記載と整合させるために、明細書の段落【００１０】の記載を削除して段落【０００８】に移し、また段落【０００８】の「「焼成用容器の外側から見える模様」の施し方は様々であり、例えば積層させるフィルムに印刷する方法がある。或いは、模様を描かせたフィルムを別途準備して、これを紙とフィルムとの間に積層させる方法がある。また、油分の染み込まない材質に色を付けて短く切ったテープ、或いは糸、更には紙吹雪状の材料を紙とフィルムとの間に挟み込む方法がある。このほか、色付きフィルムに模様を切り抜き、これを、紙とフィルムとの間に積層させる方法がある。」を削除して、訂正するものであり、＜訂正Ｃ＞は、訂正した特許請求の範囲の記載と整合させるために、明細書の段落【００２０】の記載を削除して段落【００１８】に移し、段落【００２１】の請求項の番号を訂正した特許請求の範囲の請求項の番号に合わせて訂正するものであるから、明瞭でない記載の釈明を目的とした訂正に該当し、新規事項の追加に該当せず、実質上特許請求の範囲を拡張し、又は変更するものではない。　
　
＜2-3＞むすび　
　以上のとおりであるから、上記訂正Ａ乃至Ｃは、特許法第120条の4第2項及び第3項で準用する特許法第126条第2-3項の規定に適合するので、当該訂正を認める。　
　
　
＜3＞取消理由についての判断　
＜3-1＞訂正明細書の請求項1乃至3に係る発明　
　訂正明細書の請求項1乃至3に係る発明は、訂正請求書に添付された訂正明細書の請求項1乃至3に記載の次のとおりのものである（図面上の番号は省略した）。　
「【請求項1】少なくとも油分が染みこんで変色する紙と略透明なフィルムとが積層されたシート、を用いて前記フィルムが外側となる様に形成された焼成用容器であって、前記シートは、乾いたときには油分の浸透しない印刷塗料を用いて前記紙に印刷した前記焼成用容器の外側から見える模様を施し、この印刷された側の紙面を前記フィルムとの積層面となる様にして積層したことを特徴とするパン・ケーキ等の焼成用容器。
【請求項２】前記模様は前記紙に対する保護色で施されたことを特徴とする請求項１記載のパン、ケーキ等の焼成用容器。
【請求項３】前記フィルムがポリエチレンフィルムであることを特徴とする請求項１又は２記載のパン、ケーキ等の焼成用容器。」（以下、「請求項1〜3記載の発明」という）
　
＜3-2＞引用刊行物　
　当審において通知した取消理由には、次の刊行物が引用された。　
刊行物1：実用新案登録第3020092号公報
刊行物2：実願昭61-157280号（実開昭63-61286）のマイクロフィルム　
刊行物3：実公昭61-12224号公報　
　
　上記刊行物1乃至3には、図面を引用して次のとおり記載されている。
＜刊行物1＞実用新案登録第3020092号公報　
ａ：　
「【請求項３】  一方の面に配置されたカップ用紙層（３２）と、このカップ用紙層（３２）の内面に、第１の接着剤層（３３ａ）、油脂滲透防止剤としての１０〜１５μｍ厚さのＰＥＴフィルムの層（３４）、白インキ層（３５）、美粧印刷層（３６）、第２の接着剤層（３３ｂ）の順序に接合されたケーキカップ製造用の６層構造の積層平板材（３０）。」　
ｂ： 
「このような加熱工程中に、菓子原料の成分の一つである油脂は、かなりの部分が容器であるカップの紙質中に滲透し、製品となったケーキのカップ全体に、または部分に、油脂による透明性と変色を与え、半透明の黒ずんだ部分が生じて元来清潔であるべき菓子に不潔感をもたらし商品価値を低下させていた。　
　ただし、紙質中に油脂の滲透を防止するための適切な手段が開発されなかったため、やむを得ないこととして容認されていた。
【０００３】【考案が解決しようとする課題】製菓工程中にカップの側筒に生じた油脂滲透は、カップの外観を損なう。・・・。　
【０００４】【課題を解決するための手段】これには下記の手段を採用する必要がある。
（１）カップの側筒と底体を形成するためのカップ用紙自体に耐油性を与える。
　つまり菓子原料であるドウを充填した状態で加熱処理した場合に、ドウ中の油脂分がカップの紙質に滲透しないような用紙材料とする必要があるので、１）・・・と、２）・・・と、３）一方の面に配置されたカップ用紙層と、このカップ用紙層の内面に、第１の接着剤層、油脂滲透防止剤としてのＰＥＴフィルム層、白インキ層、美粧印刷層、第２の接着剤層の順序に接合されたケーキカップ製造用の６層構造の積層平板材と、
の３種のケーキカップ製造用の積層平板材を作成する。
　上記３種の積層平板材は、いずれも油脂滲透防止剤としてのＰＥＴフィルム層を有していて、それ自体油脂遮断性を有する。ＰＥＴフィルムは、厚さ１２μｍを標準として市販されていて、１０〜１５μｍの範囲で油脂滲透防止作用が認められているので、この範囲のフィルムを採用する。
（２）カップの構造としては、前記の５層構造と６層構造の積層平板材を選択的に使用してカップの側筒を製造し、一方、３層構造、５層構造、６層構造の積層平板材により底板を成形し、これらを組み合わせて完成する。・・・。　
　以上により課題を解決した。」（段落【0002】第14行〜段落【0004】末行）　
ｃ：　
「【０００５】【作用】５層構造の積層平板材は、・・・。また６層構造の積層平板材は内側をカップ用紙層とすれば外側はＰＥ層となる。」（段落【0005】第1〜5行）　　
ｄ：　
「図１０（Ａ）は、図３に示した６層構造の積層平板材３０のカップ用紙層３２を内側にして貼合した側筒５２の下部内側に、前記底体４０の前記底板４０ａを下にして挿入し貼着したカップ６０Ａであり、図１０（Ｂ）は、前記底板４０ａを上にして挿入し貼着した上げ底形のカップ６０Ｂである。」（段落【0008】第20〜23行）　
　
＜刊行物2＞実願昭61-157280号（実開昭63-61286）のマイクロフィルム　
ｅ：　
「2.実用新案登録請求の範囲　
1.基本紙（1）の内外両面又は、いずれか片面に合成樹脂製の保形フィルム（2）を貼着し、さらに基本紙（1）を底部（3）と、この外縁全体から上方に突出する壁部（4）とからなる皿状に形成したことを特徴とするパン焼き皿。」　
ｆ：　
「（作用）本考案は、上記手段を採用したことにより、保形フィルムによって基本紙が支持されているため、基本紙がパンの生地等の水分を吸収しても形崩れが生じることはない。」（第3頁第15〜19行）　
ｇ：　　
「さらに本考案によるパン焼き皿は、基本紙1に模様等の印刷を施すことが可能にして・・・よって、焼き上がった後のパンの外観が向上し、」（第5頁第15〜19行）　
ｈ：　
「（１）基本紙1の素材として純白紙に代えて和紙、ワラ半紙を使用したり、・・・（３）パン焼き皿を製パン以外に製菓にも使用する、等、考案の趣旨から逸脱しない限りにおいて任意の変更は無論可能である。」（第6頁第19行〜第7頁第5行）（ただし、上記（１）（３）は、（○に１または３の略））　
　
＜刊行物3＞実公昭61-12224号公報　
ｉ：　　
「実用新案登録請求の範囲　
　外側からポリエステル樹脂またはアルミニウム箔から成る耐熱性材料層、紙層、ヒートシール可能な表面処理したポリエステル樹脂または、ポリプロピレン樹脂層をこの順に積層した耐熱性複合材料から成る熱調理可能な紙製容器。」　
ｊ：　
「又耐熱性樹脂層2が透明なポリエステル樹脂である場合には、紙層3の外側に美麗な印刷を施し或いは必要な表示を施すことができる。」（第2欄第13〜16欄）　
　
　
＜3-3＞対比・判断　
＜3-3-Ａ＞請求項1に係る発明について　
　ところで、本件明細書に記載された発明が解決しようとする課題は「焼成用容器にパン生地の油分が染みて、パンが容器ごと小麦色に見えながらも、更に、意匠的な効果を高める事のできるパン、ケーキ等の焼成用容器を提供する」（【0007】）というものであるが、「ケーキ等の焼成用容器」が「油が染みこんで変色する紙」で形成されている点、及び変色により外観上の問題が生じることは、上記刊行物1の従来技術（記載ｂ：【0002】〜【0005】）に記載されているように本出願前の当該技術分野においてよく知られていることである。　
　上記刊行物1記載の焼成用容器と本件請求項1に係る発明を対比すると、両者は、「少なくとも油分が染みこんで変色する紙で形成されたケーキ等の焼成用容器」で一致するが、本件請求項1に係る発明においては、上記「ケーキ等の焼成用容器」が、
＜相違点1＞
　上記の紙と「フィルムとが積層されたシート、を用いて前記フィルムが外側となる様に形成された」もので、「紙に印刷」した「模様」を施したもので、「パン」の焼成用でもある点、
＜相違点2＞
　相違点1の外側に積層されたフィルムが「略透明」で、相違点1の紙に印刷した模様が「前記焼成用容器の外側から見える」もので、「この印刷された側の紙面を前記フィルムとの積層面となる様にして積層した」ものである、　
＜相違点3＞
　相違点1，2の印刷は「乾いたときには油分の浸透しない印刷塗料を用いて」なされたものである、　
のに対し、上記刊行物1記載の焼成用容器はその様なものでない点で、相違する。　　
　
　上記相違点について、以下に検討する。
　刊行物2記載の発明の焼成用容器（パン焼き皿）においては、紙（基本紙1）の「いずれか片面に」フィルムを貼着する（記載ｅ）ものであるから、紙とフィルムとが積層されたシートを、内側が紙で「フィルムが外側となるように」形成された焼成用容器が記載されているということができ、また、紙（基本紙1）に模様等の印刷を施した（記載ｇ）点、パン焼成用であるとともに製菓にも使用する（記載ｈ）、すなわち、「パン・ケーキ焼成用」である点も、記載されているから、上記相違点1が記載されているということができる。　
　また、刊行物3には、上記相違点2が記載されている（記載ｉ，ｊ）。
　そうしてみると、上記刊行物1記載の「少なくとも油分が染みこんで変色する紙で形成されたケーキ等の焼成用容器」の「紙」を、刊行物2記載の発明のように「紙」と「フィルムとが積層されたシート」にして上記相違点1のようにして、その際、刊行物3記載の発明のように、フィルムを「略透明な」ものとして、模様が「焼成用容器の外側から見える」ように「印刷された側の紙面を前記フィルムとの積層面となるようにして積層」して相違点2のようにすることは、当業者が容易になし得ることである。　
　相違点3についてはいずれの文献にも記載されてはいないが、「油が染みこんで変色する紙」に模様を印刷する場合には、「乾いたときには油分の浸透しない印刷塗料を用いて」行わなければ、印刷されたインクに油が染み込んで変色してしまい表示や模様が不明瞭なものになってしまうことは明らかであるから、当業者であれば上記相違点3のようにすることは容易になし得ることであるということができる。　
　したがって、刊行物1乃至3記載の発明から請求項1に係る発明を構成したことは、当業者が容易に想到しうるものである、ということができる。　
　
＜3-3-Ｂ＞請求項2に係る発明について　
  請求項2に係る発明において、 模様が「紙に対する保護色で施された」点が特徴部分であり、その効果は、「焼成前は保護色により見えなかった模様を、焼成により浮かび上がらせる事ができ、焼成前後の変わり目がおもしろい。」（【0019】）というものである。　
　一般に、たとえば水に濡らすと印刷部の色が変わって模様が表れる印刷などに見られるように、印刷部の色を予め地色と保護色にしておくことは、本出願前、普通に行われている周知技術（以下、「周知技術Ａ」という）である。　
　請求項2に係る発明においては、焼成用容器の紙の色の方が焼成により変わるので、当初、紙と保護色であった印刷部の模様が浮かび上がるようにしたものであるが、上記周知技術Ａを考慮すれば、格段の効果であるとはいうことができず、上記特徴部分のようにしたことは当業者が容易になし得ることである。　
　そうすると、引用例1乃至3記載の発明から請求項1に係る発明を構成する際、上記特徴部分のようにして請求項2に係る発明を構成にしたことは、上記周知技術Ａを考慮すれば、当業者が容易に想到しうるものであるということができる。　
　
＜3-3-Ｃ＞請求項3に係る発明について　
　一般に、透明なフィルムとして「ポリエチレンフィルム」は、本出願前の当該技術分野においてよく知られた周知技術である。　
　そうすると、引用例1乃至3記載の発明、及び上記周知技術Ａから請求項1または請求項2に係る発明のように構成する際、刊行物3記載の発明の「透明な」フィルムを上記周知の「ポリエチレンフィルム」にして請求項3に係る発明を構成することは、当業者が容易に想到しうるものであるということができる。　
　
　
＜4＞むすび　
　以上のとおりであるから、本件訂正後の請求項1乃至3に係る発明は、上記引用した刊行物に記載された発明および上記周知技術に基づいて当業者が容易に発明をすることができたものであるから、本件訂正後の請求項1乃至3に係る特許は特許法第29条第2項の規定に違反してされたものである。　
　したがって、本件訂正後の請求項1乃至3に係る特許は、特許法第113条第2号に該当し、取り消されるべきものである。　
　よって、結論のとおり決定する。　
【異議決定日】
平成１４年６月２４日（２００２．６．２４）
【訂正の要旨】
訂正の要旨
＜訂正の内容＞
＜訂正Ａ＞　特許請求の範囲の請求項１〜４である
「【特許請求の範囲】
　【請求項１】　少なくとも油分が染みこんで変色する紙と略透明なフィルムとが積層されたシート、を用いて前記フィルムが外側となる様に形成された焼成用容器であって、前記シートには前記焼成用容器の外側から見える模様を施したことを特徴とするパン・ケーキ等の焼成用容器。
　【請求項２】　前記模様は前記紙に対する保護色で施されたことを特徴とする請求項１記載のパン、ケーキ等の焼成用容器。
　【請求項３】　前記シートは、前記模様を前記紙に印刷し、この印刷された紙面を前記フィルムとの積層面となる様にして積層したことを特徴とする請求項１又は２記載のパン、ケーキ等の焼成用容器。
　【請求項４】　前記フィルムがポリエチレンフィルムであることを特徴とする請求項１〜３に記載のパン、ケーキ等の焼成用容器。」
を、特許請求の範囲の減縮を目的として、訂正明細書の特許請求の範囲の記載のとおり、すなわち、次のように訂正する。
「【特許請求の範囲】
　【請求項１】少なくとも油分が染みこんで変色する紙と略透明なフィルムとが積層されたシート、を用いて前記フィルムが外側となる様に形成された焼成用容器であって、前記シートは、乾いたときには油分の浸透しない印刷塗料を用いて前記紙に印刷した前記焼成用容器の外側から見える模様を施し、この印刷された側の紙面を前記フィルムとの積層面となる様にして積層したことを特徴とするパン・ケーキ等の焼成用容器。
　【請求項２】前記模様は前記紙に対する保護色で施されたことを特徴とする請求項１記載のパン、ケーキ等の焼成用容器。
　【請求項３】前記フィルムがポリエチレンフィルムであることを特徴とする請求項１又は２記載のパン、ケーキ等の焼成用容器。」
＜訂正Ｂ＞
特許明細書の段落【０００８】及び【００１０】である
「　【０００８】
　【課題を解決するための手段】
　上記課題に応えるため、本発明では、従来技術で述べた焼成用容器の外側に略透明なフィルムを用い、内側には油分が染み込んで変色する紙を用いる様にし、更に、焼成用容器には外側から見える様に模様を施した。この様にすると、焼成後には焼成用容器がパンごと小麦色に見せる事ができながら、小麦色を背景にして模様を表す事ができるのである。また、家庭クッキングなどでパンを焼成する時に、焼成前は白地に模様が描かれた様に見え、それが焼成後には小麦色に模様が描かれた様に変わるおもしろさがある。
　「焼成用容器の外側から見える模様」の施し方は様々であり、例えば積層させるフィルムに印刷する方法がある。或いは、模様を描かせたフィルムを別途準備して、これを紙とフィルムとの間に積層させる方法がある。また、油分の染み込まない材質に色を付けて短く切ったテープ、或いは糸、更には紙吹雪状の材料を紙とフィルムとの間に挟み込む方法がある。このほか、色付きフィルムに模様を切り抜き、これを、紙とフィルムとの間に積層させる方法がある。模様は、幾何学模様、文字、キャラクター他、様々であって良い。」
　及び
「【００１０】
　なお、模様の施し方は紙に印刷しておく事もでき、この印刷された側の紙面を前記フィルムとの積層面となる様にして積層しておけばよく、この様にすると製造が容易になる。この時、印刷した印刷塗料は、この印刷塗料が乾いたときには油分の浸透しないものを用いる様にすればよく、紙に油分が染み込んで変色しても、模様は変色しない。」
を、特許請求の範囲の減縮に伴う不明瞭な記載の釈明を目的として、訂正明細書の記載のとおり、すなわち、次のように訂正し、【００１０】の記載は削除する。
「【０００８】
　【課題を解決するための手段】
　上記課題に応えるため、本発明では、従来技術で述べた焼成用容器の外側に略透明なフィルムを用い、内側には油分が染み込んで変色する紙を用いる様にし、更に、焼成用容器には外側から見える様に模様を施した。
　なお、模様の施し方は紙に印刷しておく事もでき、この印刷された側の紙面を前記フィルムとの積層面となる様にして積層しておけばよく、この様にすると製造が容易になる。この時、印刷した印刷塗料は、この印刷塗料が乾いたときには油分の浸透しないものを用いる様にすればよく、紙に油分が染み込んで変色しても、模様は変色しない。
　この様にすると、焼成後には焼成用容器がパンごと小麦色に見せる事ができながら、小麦色を背景にして模様を表す事ができるのである。また、家庭クッキングなどでパンを焼成する時に、焼成前は白地に模様が描かれた様に見え、それが焼成後には小麦色に模様が描かれた様に変わるおもしろさがある。
　模様は、幾何学模様、文字、キャラクター他、様々であって良い。」
＜訂正Ｃ＞
特許明細書の段落【００１８】〜【００２１】である
「【００１８】
　【発明の効果】
　以上、本願請求項１記載の発明によれば、焼成用容器が小麦色に、或いは焦げ茶色になり、中身のパンに近い色彩となって見た目にパンの美味しさを強調でき、しかも、このパンの色を背景にして模様を施す事ができるので、意匠的効果を高める事ができる。
　【００１９】
　請求項２記載の発明によれば、請求項１の発明に係る効果の他、焼成前は保護色により見えなかった模様を、焼成により浮かび上がらせる事ができ、焼成前後の変わり目がおもしろい。
　【００２０】
　請求項３記載の発明によれば、請求項１又は２の発明に係る効果の他、紙に模様を印刷するだけでよいので、焼成用容器の製造が容易になる。また、印刷によるので複雑な模様など自由に模様を描く事ができ、また請求項２に記述した保護色とその他の色彩となど多色の模様を施す事なども容易になるので、施す模様の自由度が高まる。
　【００２１】
　請求項４記載の発明によれば、請求項１〜３のいずれか１の発明に係る効果の他、焼成用容器に保形性が得られると共に、高い透明性により模様の浮き出しを鮮明にする事ができ、高い意匠性が得られる。」
を、特許請求の範囲の減縮に伴う不明瞭な記載の釈明を目的として、訂正明細書の記載のとおり、すなわち、次のように訂正し、【００２０】の記載は削除する。
「【００１８】
　【発明の効果】
　以上、本願請求項１記載の発明によれば、焼成用容器が小麦色に、或いは焦げ茶色になり、中身のパンに近い色彩となって見た目にパンの美味しさを強調でき、しかも、このパンの色を背景にして模様を施す事ができるので、意匠的効果を高める事ができる。
　また紙に模様を印刷するだけでよいので、焼成用容器の製造が容易になる。また、印刷によるので複雑な模様など自由に模様を描く事ができ、請求項２に記述した保護色とその他の色彩となど多色の模様を施す事なども容易になるので、施す模様の自由度が高まる。
　【００１９】
　請求項２記載の発明によれば、請求項１の発明に係る効果の他、焼成前は保護色により見えなかった模様を、焼成により浮かび上がらせる事ができ、焼成前後の変わり目がおもしろい。
　【００２０】
　【００２１】
　請求項３記載の発明によれば、請求項１又は２の発明に係る効果の他、焼成用容器に保形性が得られると共に、高い透明性により模様の浮き出しを鮮明にする事ができ、高い意匠性が得られる。」
（５４）【発明の名称】
パン、ケーキ等の焼成用容器
（５７）【特許請求の範囲】
　【請求項１】　少なくとも油分が染みこんで変色する紙と略透明なフィルムとが積層されたシート、を用いて前記フィルムが外側となる様に形成された焼成用容器であって、
　前記シート
は、乾いたときには油分の浸透しない印刷塗料を用いて前記紙に印刷した
、この印刷された側の紙面を前記フィルムとの積層面となる様にして積層し
　【請求項２】　前記模様は前記紙に対する保護色で施されたことを特徴とする請求項１記載のパン、ケーキ等の焼成用容器。
　【請求項３】　
前記フィルムがポリエチレンフィルムであることを特徴とする請求項１又は２記載のパン、ケーキ等の焼成用容器。
【発明の詳細な説明】
　【０００１】
　【発明の属する技術分野】
　この発明は、パン、ケーキ等の生地を入れて天火焼き、蒸しなどに用いる焼成用容器に関する。
　【０００２】
　【従来の技術】
　パン、ケーキ、カステラ、パイなど（以下、パンという）の焼成用容器には、従来から純白紙などのシートにより成形されたものがある。また、この様な純白紙のみで成形された従来の焼成用容器を用いると、焼成時にはパン生地から出る油分が純白紙に染み、純白紙は小麦色や焦げ茶色などに変色する。その結果、焼成用容器は全体が小麦色になり、中身のパンに近い色彩となって、見た目にパンの美味しさを強調できる。さらに、この様な小麦色への変色具合で焼き上がり具合も判断ができる。
　【０００３】
　また、この様な焼成用容器は、材料が紙のみであるためコスト的にも安く、使い捨てもできるので、業務用に用いられるだけでなく、家庭クッキングなど趣味の料理での需要が多く、広く利用されてきた。
　【０００４】
　しかし、最近では容器形状の保形性強化を求めて、純白紙などにポリエステルフィルム等を積層したシートによる焼成用容器が多用されている。ところが、その大半がポリエステルフィルムを焼成用容器の内側に用いており、よって純白紙に油分が染みる事もなく、それが為、純白紙の白さが清潔感を増す結果となっている。白地に絵模様が印刷できるなど利点もある。
　【０００５】
　しかし一方で、小麦色を容器の全面に出して強調したいとの要求もある。その為、ポリエステルフィルムを焼成用容器の外側に用い、内側に純白紙を用いた焼成用容器が、別途、提供されている。この焼成用容器を用いてパンを焼成すると
、内側となった純白紙にパン生地の油分が染みて純白紙が小麦色に変色し、この小麦色を、外側のポリエステルフィルム越しに見せる様になっている。この様な焼成用容器によれば、容器の保形性を得ながらも、焼き上がったパンを容器ごと小麦色に見せる事ができる。
　【０００６】
　以上、述べた様に、焼成用容器に焼き上がり後の外観を問題にするのは、焼成用容器が文字通り焼成に用いられるほか、焼成後には包装用容器としても用いるからである。つまり、業務用であれば陳列時に需要者の購買を促す様な外観が求められ、また、業務用であると家庭クッキング用であるとに係わらず、食する時には食卓を見た目の美味しさで彩らせる外観が求められるからである。従って、焼成用容器には上記に述べた白地とか小麦色とかの他にも、カラフルな印刷を施した焼成用容器に用いたり、その他、様々な工夫の成されたものが提供されている。
　【０００７】
　【発明が解決しようとする課題】
　以上の様な状況下において、この発明の目的は、焼成用容器にパン生地の油分が染みて、パンが容器ごと小麦色に見えながらも、更に、意匠的な効果を高める事のできるパン、ケーキ等の焼成用容器を提供することにある。
　【０００８】
　【課題を解決するための手段】
　上記課題に応えるため、本発明では、従来技術で述べた焼成用容器の外側に略透明なフィルムを用い、内側には油分が染み込んで変色する紙を用いる様にし、更に、焼成用容器には外側から見える様に模様を施した
。
　なお、模様の施し方は紙に印刷しておく事もでき、この印刷された側の紙面を前記フィルムとの積層面となる様にして積層しておけばよく、この様にすると製造が容易になる。この時、印刷した印刷塗料は、この印刷塗料が乾いたときには油分の浸透しないものを用いる様にすればよく、紙に油分が染み込んで変色しても、模様は変色しない。
　この様にすると、焼成後には焼成用容器がパンごと小麦色に見せる事ができながら、小麦色を背景にして模様を表す事ができるのである。また、家庭クッキングなどでパンを焼成する時に、焼成前は白地に模様が描かれた様に見え、それが焼成後には小麦色に模様が描かれた様に変わるおもしろさがある
。
　
　【０００９】
　特に、この模様を紙に対する保護色で施しておくと、焼成前は紙の色に隠れて見えなかった模様が、紙の変色により浮かび上がる事となる。例えば、白い紙に白い模様を施しておくと、焼成前は容器全体が白一色となって模様が隠れている。これが焼成後には、容器全体が小麦色となる為、この小麦色を背景に白の模様がくっきりと浮かぶ事となり、その変わり目がおもしろい。また、変わり目だけでなく、小麦色の背景に白地の模様は見た目に映え、パンの色を直接見せる事により美味しさを表しながらも、一方で意匠性を高める事ができる。なお、焼成用容器に用いられる紙は白色以外の色であってもよく、この場合は浮き上がる模様もこの紙と同じ色にしておけばよい。
　【００１０】
　【００１１】
　また、紙と積層させるフィルムには、ポリエチレンフィルムを用いると、従来から得れていた保形性を維持できる共に、高い透明性によりパンの小麦色をより地色に近い色で表わす事ができるほか、よってこれを背景とした模様の浮き出しを鮮明にする事ができる。
　【００１２】
　【発明の実施の形態】
　図１は、請求項１〜４に係る発明の焼成用容器１０を斜め下から見た図であり、図２、図３に示す様に純白紙２とポリエステルフィルム３を積層したシート１から成っている。そして、円形の底部１１と、底部１１をとりまく縦ヒダ１３を有した周壁１２とから成っている。
　【００１３】
　純白紙２には、坪量６５ｇ／ｍ２のものを用いてある。また、積層させる前の純白紙２には、純白紙に対する保護色の（つまり、純白紙と同じ色の）水玉模様４が、積層面と成る側に白色の印刷塗料４ａで一様に印刷してある。この様に、水玉模様４は純白紙２の保護色であるため隠れてしまい、見た目には何も印刷してない様に見える。
　ポリエステルフィルム３には１２μｍ厚で透明なものを用いている。また、図３に示す様に純白紙２とポリエステルフィルム３の間には、接着剤として用いられたポリエチレンが接着剤層５として形成されている。なお、ポリエステルフィルム３は更に細かく材質が分かれているが、その一例として、ポリエチレンテレフタレート・フィルムを挙げる事ができる。
　【００１４】
　この様なシート１を用い、ポリエステルフィルム３が容器の外側となる様に焼成用容器１０を形成すると、外側からは透明なポリエステルフィルム３越しに、水玉模様４の印刷された純白紙２が見える。ただ、保護色で印刷されているので水玉模様４は見た目には判らず、単に白一色の焼成用容器１０に見える。
　【００１５】
　この様な焼成用容器１０にパン生地を入れて焼くと、パン生地から油分が染み出し、焼き上がった時には容器内側の純白紙２は油分などが染み込んで小麦色に変色し、つまり焼成用容器１０はパンと共に小麦色になっているのである。しかも、図４に示す様に小麦色を背景Ｂにして白い水玉模様４が浮かび上がって見えるのである。
　【００１６】
　なお、模様は、上記例の様に容器の底部と周壁とを問わず一様に施したものでも良いが、この他、周壁のみ、或いは、底部のみに施しても良い。例えば、容器の底部のみに模様を施すと、底部の模様を見る事ができないが、ただこの様なパンは、焼成用容器ごとパン袋に入れて流通させる事が多く、よって購買者が陳列棚から手にとって品定めをしたり、パン袋の底部側に貼られた製造日時ラベルの確認する時に、底部の模様は目に触れる事ができる。
　また、模様は細かな幾何学模様でも良く、キャラクターや文字であっても良い。文字を施すのであればパンやケーキの提供状況に合わせた工夫を凝らす事ができ、例えば結婚式のデザート用のケーキであれば焼成用容器の底部に「寿」の一文字をあしらったりできる。また、家庭クッキング用であれば、周壁に「焼けました」の文字を施しておくのも良く、焼けた頃に「焼けました」の文字が浮かぶので、意匠的なおもしろさの他に、焼き上がり通知を兼ねさせる事ができる。
　【００１７】
　なお、模様の色彩を工夫すると、さらに異なった演出ができる。
　例えば、焼き上がり時の容器の色に対して保護色にしておく方法もあり、つまり模様を小麦色にしておくのである。この様にしておけば、焼く前には白地に小麦色の模様が見えていたものが、焼けた時には小麦色に変色した容器の色と同化し、模様が消えてしまう面白さがある。
　また、▲１▼焼成前の紙の色に対する保護色（白など）と、▲２▼焼成後の紙の色に対する保護色（小麦色など）と、▲３▼何れでもない色（赤、青など）とを適宜選択して模様を描いておけば、さらに、様々な演出を試みる事ができる。例えば、焼成前は赤と小麦色の模様（白模様は保護色で見えない）が見えていたものが、焼成後には赤と白の模様（小麦色模様は保護色で見えない）に変わって見えるなどするのである。この様に複雑な演出も楽しめ、家庭クッキングなどを楽しくする事ができて好ましい。
　【００１８】
　【発明の効果】
　以上、本願請求項１記載の発明によれば、焼成用容器が小麦色に、或いは焦げ茶色になり、中身のパンに近い色彩となって見た目にパンの美味しさを強調でき、しかも、このパンの色を背景にして模様を施す事ができるので、意匠的効果を高める事ができる。
　
また紙に模様を印刷するだけでよいので、焼成用容器の製造が容易になる。また、印刷によるので複雑な模様など自由に模様を描く事ができ、請求項２に記述した保護色とその他の色彩となど多色の模様を施す事なども容易になるので、施す模様の自由度が高まる。
　【００１９】
　請求項２記載の発明によれば、請求項１の発明に係る効果の他、焼成前は保護色により見えなかった模様を、焼成により浮かび上がらせる事ができ、焼成前後の変わり目がおもしろい。
　【００２０】
　【００２１】
　請求項
３
又は２
【図面の簡単な説明】
　【図１】
　この図は、本願に係る焼成用容器の焼成前のものを、この焼成用容器の底部側から見た斜視図であり、破線で描かれている円形の水玉模様は、水玉模様以外の部分と同じ色であるため、実際には見えない状態になっているものである。
　【図２】
　この図は、図１の焼成用容器をＡ−Ａで切り欠いた切り欠き斜視図である。
　【図３】
　この図は、図１の焼成用容器に用いたシートの断面構造を示す図である。
　【図４】
　この図は、図１の焼成用容器を用いてパンを焼成したものを、この焼成用容器の底部側から見た斜視図である。
　【符号の説明】
　１０　　パン、ケーキ等の焼成用容器
　　１　　シート
　　２　　純白紙
　　３　　ポリエステルフィルム
　　４　　水玉模様
　　４ａ　印刷塗料
　１１　　底部
　１２　　周壁